(57)【特許請求の範囲】
【請求項１】
入射面から入射した光を主面に形成された凹状又は凸状のパターンから拡散光として導出する導光板を立体的に設けた導光部と、
前記導光部に隣接し、前記導光板の前記入射面から内部に光を導入する光源部と前記光源部に所定の駆動電力を供給する電源部とを設けた筐体部と、
前記導光部の前記導光板を保持し、且つ隣接する前記導光板の間に位置し前記光源部から光が入射されるレンズを備えた保持部とを有すること
を特徴とする照明装置。
【請求項２】
前記保持部は、前記導光部の前記導光板に係合し、前記導光板を前記筐体部に着脱可能に保持すること
を特徴とする請求項１に記載の照明装置。
【請求項３】
前記筐体部は、前記光源部で発生した熱を放熱させる放熱部と前記導光板から導出された光を所定の方向に反射させる反射部とを有すること
を特徴とする請求項１に記載の照明装置。
【請求項４】
前記導光部の前記導光板は、交差して設け、又は並列に設けたこと
を特徴とする請求項１に記載の照明装置。
【請求項５】
前記導光部の前記導光板は、光が入射する前記入射面に対向する先端面が、少なくとも２つ以上に分岐されていること
を特徴とする請求項１に記載の照明装置。
【請求項６】
前記導光部の前記導光板は、少なくとも２つ以上に分岐した先端の長さが、前記光源部からの長さに等しく、又は異なるように形成されていること
を特徴とする請求項１に記載の照明装置。
【請求項７】
前記導光部は、前記導光板の先端が分岐した部分に他の前記導光板の前記入射面が挿入されて組み合わされていること
を特徴とする請求項１に記載の照明装置。
【請求項８】
前記導光部は、前記光源部から先端までの長さが他の前記導光板と等しく、又は異なる前記導光板を複数組み合わされていること
を特徴とする請求項１に記載の照明装置。
【請求項９】
前記導光部は、前記導光板の前記先端が曲面もしくは傾斜面で形成されていること
を特徴とする請求項６に記載の照明装置。
【請求項１０】
前記導光部は、前記導光板の前記先端に所定の深さの円柱形状又は円錐形状から成る凹部が形成されていること
を特徴とする請求項６に記載の照明装置。
【請求項１１】
前記導光部は、前記導光板の前記先端が台形台形状又は円錐台形状から形成されていること
を特徴とする請求項６に記載の照明装置。
【発明の詳細な説明】
【技術分野】
【０００１】
本発明は、多品種の導光板を立体的に配設した照明装置に関する。
【背景技術】
【０００２】
従来、発光ダイオードを用いた照明器具に関して、器体の外面に複数の放熱フィンが突設され発光ダイオードをそれぞれ器体内面に近接して配置することにより、製造コストを増大させることなく発光ダイオードの放熱性を向上させた照明装置の構成がある（例えば、特許文献１参照。）。
【０００３】
また、発光ダイオードを光源として用いた電球形ＬＥＤランプに関し、金属基板に絶縁性接着層を介してＬＥＤチップが実装されたＬＥＤ基板の他面側をホルダの光源取付け部に直接または間接的に接触させることにより、高出力用ＬＥＤ基板を用いた場合にも放熱性を保つ電球形ＬＥＤランプの構成がある（例えば、特許文献２参照。）。
【先行技術文献】
【特許文献】
【０００４】
【特許文献１】特開２００６−０４０７２７号公報
【特許文献２】特開２００９−０３７９９５号公報
【発明の概要】
【発明が解決しようとする課題】
【０００５】
しかしながら、前述の様な構成では、複数の光源を平面上に設けていることから光の明暗を抑制するためには多数の光源が必要となり、且つ平面上から放射される光では配光特性が偏ることから光学特性を最適化することが困難となる問題が有った。
【０００６】
そこで、本発明は前述の技術的な課題に鑑み、立体的な発光部分を保持している保持部分からも光を導出させることにより、装置から放出される光の明暗そのものを抑制すると共に光学特性を最適化できる照明装置の提供を目的とする。
【課題を解決するための手段】
【０００７】
前述の課題を解決すべく、本発明に係る照明装置は、入射面から入射した光を主面に形成された凹状又は凸状のパターンから拡散光として導出する導光板を立体的に設けた導光部と、前記導光部に隣接し、前記導光板の前記入射面から内部に光を導入する光源部と前記光源部に所定の駆動電力を供給する電源部とを設けた筐体部と、前記導光部の前記導光板を保持し、且つ隣接する前記導光板の間に位置し前記光源部から光が入射されるレンズを備えた保持部とを有することを特徴とする。
【発明の効果】
【０００８】
本発明に係る照明装置によれば、立体的な発光部分を保持している保持部分からも光を導出させることにより、装置から放出される光の明暗そのものを抑制するができ、且つ装置の光学特性を最適化できる。
【図面の簡単な説明】
【０００９】
【図１】本発明の第１の実施形態に係る照明装置を示す斜視図である。
【図２】本発明の第１の実施形態に係る照明装置を構成毎に分解して示す斜視図である。
【図３】本発明の第１の実施形態に係る照明装置を示す要部断面図である。
【図４】本発明の第１の実施形態に係る照明装置の導光部と筐体部の光源部と保持部とを示す図であり、（ａ）は導光部と筐体部の光源部と保持部とを示す斜視図、（ｂ）は導光部と筐体部の光源部と保持部とを示す下面図である。
【図５】本発明の第１の実施形態に係る照明装置の筐体部と保持部を示す斜視図であり、（ａ）は筐体に保持部材を挿入した上で固定部材を用いて係合させる状態を示す斜視図、（ｂ）は筐体に保持部材を直接ねじ込んで係合させる状態を示す斜視図である。
【図６】本発明の第１の実施形態に係る照明装置の筐体部を示す斜視図であり、（ａ）はソケットを備えた筐体を示す斜視図、（ｂ）は口金を備えた筐体を示す斜視図である。
【図７】本発明の第１の実施形態に係る照明装置の導光部に配設され先端が複数に分岐された導光板及び該導光板に隣接して設けられる光源を示す模式図であり、（ａ）は導光板と光源を導光板の主面から示す模式図、（ｂ）は凹状のパターンが対向する主面に対面同一に形成されている導光板の中央の分岐部と光源を断面図で示す模式図である。
【図８】本発明の第１の実施形態に係る照明装置の導光部に配設され先端が複数に分岐された導光板及び該導光板に隣接して設けられる光源を示す模式図であり、（ａ）は導光板と光源を導光板の主面から示す模式図、（ｂ）は凹状のパターンが対向する主面に対面非同一に形成されている導光板の中央の分岐部と光源を断面図で示す模式図である。
【図９】本発明の第１の実施形態に係る照明装置の導光部に配設され先端が複数に分岐された導光板及び該導光板に隣接して設けられる光源を示す模式図であり、（ａ）は導光板と光源を導光板の主面から示す模式図、（ｂ）は凹状のパターンが入射面から先端に向かって段階的に深くなるように形成されている導光板の中央の分岐部と光源を断面図で示す模式図である。
【図１０】本発明の第１の実施形態に係る照明装置の導光部に設けられた導光板の中で特に複数に分岐された部分の長さが異なるように形成されている導光板を示す模式図であり、（ａ）は導光板の主面を示す模式図、（ｂ）は導光板の先端を示す模式図である。
【図１１】本発明の第１の実施形態に係る照明装置の導光部に設けられた導光板の中で特に複数に分岐された部分の長さが同一になるように形成されている導光板を示す模式図であり、（ａ）は導光板の主面を示す模式図、（ｂ）は導光板の先端を示す模式図である。
【図１２】本発明の第１の実施形態に係る照明装置の導光部に設けられた導光板の中で特に複数に分岐された部分の先端の外側に向かって曲面が形成されている導光板を示す模式図であり、（ａ）は導光板の主面を示す模式図、（ｂ）は導光板の先端を示す模式図である。
【図１３】本発明の第１の実施形態に係る照明装置の導光部に設けられた導光板の中で特に複数に分岐された部分の先端の内側に向かって曲面が形成されている導光板を示す模式図であり、（ａ）は導光板の主面を示す模式図、（ｂ）は導光板の先端を示す模式図である。
【図１４】本発明の第１の実施形態に係る照明装置の導光部に設けられた導光板の中で特に複数に分岐された部分の先端の内側に向かって傾斜面が形成されている導光板を示す模式図であり、（ａ）は導光板の主面を示す模式図、（ｂ）は導光板の先端を示す模式図である。
【図１５】本発明の第１の実施形態に係る照明装置の導光部に設けられた導光板の中で特に複数に分岐された部分の先端にそれぞれ所定の深さの円柱形状から成る凹部が形成されている導光板を示す模式図であり、（ａ）は導光板の主面を示す模式図、（ｂ）は導光板の先端を示す模式図である。
【図１６】本発明の第１の実施形態に係る照明装置の導光部に設けられた導光板の中で特に複数に分岐された部分の先端にそれぞれ所定の深さの円錐形状から成る凹部が形成されている導光板を示す模式図であり、（ａ）は導光板の主面を示す模式図、（ｂ）は導光板の先端を示す模式図である。
【図１７】本発明の第１の実施形態に係る照明装置の導光部に設けられた導光板の中で特に複数に分岐された部分の先端がそれぞれ台形台形状に形成されている導光板を示す模式図であり、（ａ）は導光板の主面を示す模式図、（ｂ）は導光板の先端を示す模式図である。
【図１８】本発明の第１の実施形態に係る照明装置の導光部に設けられた導光板の中で特に複数に分岐された部分の先端がそれぞれ円錐台形状に形成されている導光板を示す模式図であり、（ａ）は導光板の主面を示す模式図、（ｂ）は導光板の先端を示す模式図である。
【図１９】本発明の第１の実施形態に係る照明装置の複数に分岐された部分の長さが同一になるように形成された複数の導光板を組み合わせて設けた導光部と保持部を示す斜視図である。
【図２０】本発明の第１の実施形態に係る照明装置の十字状に４つに分岐された部分がそれぞれ台形形状となるように形成された複数の導光板を組み合わせて設けた導光部と保持部を示す斜視図である。
【図２１】本発明の第１の実施形態に係る照明装置の十字状に設けられた４つの先端がそれぞれ円弧状になるように形成された複数の導光板を組み合わせて設けた導光部と保持部を示す斜視図である。
【図２２】本発明の第１の実施形態に係る照明装置の十字状に設けられた４つの側面がそれぞれ多角形状となるように複数の導光板を組み合わせて設けた導光部と保持部を示す斜視図である。
【図２３】本発明の第１の実施形態に係る照明装置の十字状に設けられた４つの側面がそれぞれ流線形状となるように複数の導光板を組み合わせて設けた導光部と保持部を示す斜視図である。
【図２４】本発明の第１の実施形態に係る照明装置の導光部に設けられ応用例に相当する導光板の断面を示す模式図であり、（ａ）は導光板の端部を隣接する導光板の端部に接続することで内部に空間を設けた三角柱形状に組み合わせた複数の導光板の断面を示す模式図、（ｂ）は内部に空間を設けた三角柱形状に一体成型された導光板の断面を示す模式図、（ｃ）は湾曲した導光板の端部を隣接する湾曲した導光板の端部に接続することで円筒形状に組み合わせた複数の湾曲した導光板の断面を示す模式図、（ｄ）は円筒形状に一体成型された導光板の断面を示す模式図、（ｅ）は十字形状に導光板を組み合わせた複数の導光板の断面を示す模式図、（ｆ）は十字形状に一体成型された導光板の断面を示す模式図である。
【図２５】本発明の第２の実施形態に係る照明装置を示す斜視図であり、（ａ）は照明装置の各構成を透過させない状態で示す斜視図、（ｂ）は照明装置の一部の構成を透過させた状態で示す斜視図である。
【図２６】本発明の第２の実施形態に係る照明装置を構成毎に分解して示す斜視図である。
【図２７】本発明の第２の実施形態に係る照明装置を示す要部断面図である。
【図２８】本発明の第２の実施形態に係る照明装置の十字状に４つに分岐された部分の先端がそれぞれ台形形状となるように形成された複数の導光板を組み合わせて設けた導光部と保持部を示す斜視図である。
【図２９】本発明の第２の実施形態に係る照明装置の十字状に設けられた４つの先端がそれぞれ円弧状になるように形成された複数の導光板を組み合わせて設けた導光部と保持部を示す斜視図である。
【図３０】本発明の第３の実施形態に係る照明装置を示す斜視図であり、（ａ）は照明装置の各構成を透過させない状態で示す斜視図、（ｂ）は照明装置の一部の構成を透過させた状態で示す斜視図である。
【図３１】本発明の第３の実施形態に係る照明装置の接合部材を設けた導光部及び保持部を示す斜視図であり、（ａ）は導光部を構成する複数の導光板を保持部に装着した状態を示す斜視図、（ｂ）は保持部に装着する複数の導光板を示す斜視図である。
【図３２】本発明の第３の実施形態に係る照明装置の導光部及び接合部材を設けた保持部を示す斜視図であり、（ａ）は導光部を構成する複数の導光板を保持部に装着した状態を示す斜視図、（ｂ）は保持部に装着する複数の導光板を示す斜視図である。
【図３３】本発明の第３の実施形態に係る照明装置の導光部及び筐体部の光源部を示し図３１及び図３２に対応する下面図である。
【図３４】本発明の第４の実施形態に係る照明装置を示す斜視図である。
【図３５】本発明の第５の実施形態に係る照明装置を示す斜視図である。
【図３６】本発明の第５の実施形態に係る照明装置の導光部と筐体部と隣接する導光板の間にレンズを１つ設けた保持部とを示す図であり、（ａ）は導光部と筐体部と保持部とを示す斜視図、（ｂ）は導光部と筐体部と保持部とを示す下面図である。
【図３７】本発明の第５の実施形態に係る照明装置の導光部と筐体部と隣接する導光板の間にレンズを複数設けた保持部とを示す図であり、（ａ）は導光部と筐体部と保持部とを示す斜視図、（ｂ）は導光部と筐体部と保持部とを示す下面図である。
【図３８】本発明の第６の実施形態に係る照明装置を示す斜視図であり、（ａ）は照明装置の各構成を透過させない状態で示す斜視図、（ｂ）は照明装置の一部の構成を透過させた状態で示す斜視図である。
【図３９】本発明の第７の実施形態に係る照明装置を示す斜視図であり、（ａ）は照明装置の各構成を透過させない状態で示す斜視図、（ｂ）は照明装置の一部の構成を透過させた状態で示す斜視図である。
【図４０】本発明の第８の実施形態に係る照明装置を示す斜視図であり、（ａ）は照明装置の各構成を透過させない状態で示す斜視図、（ｂ）は照明装置の一部の構成を透過させた状態で示す斜視図である。
【図４１】本発明の第９の実施形態に係る照明装置を示す斜視図であり、（ａ）は照明装置の各構成を透過させない状態で示す斜視図、（ｂ）は照明装置の一部の構成を透過させた状態で示す斜視図である。
【図４２】本発明の第９の実施形態に係る照明装置の接合部材を設けた導光部と接合部材を設けたレンズ部と保持部とを示す斜視図であり、（ａ）は導光部を構成する複数の導光板及びレンズ部を構成する複数のレンズ板を保持部にそれぞれ装着した状態を示す斜視図、（ｂ）は保持部に装着する複数の導光板及びレンズ板を示す斜視図である。
【図４３】本発明の第９の実施形態に係る照明装置の導光部とレンズ部と接合部材を設けた保持部とを示す斜視図であり、（ａ）は導光部を構成する複数の導光板及びレンズ部を構成する複数のレンズ板を保持部にそれぞれ装着した状態を示す斜視図、（ｂ）は保持部に装着する複数の導光板及びレンズ板を示す斜視図である。
【図４４】本発明の第９の実施形態に係る照明装置の導光部とレンズ部と筐体部の光源部とを示し図４２及び図４３に対応する下面図である。
【発明を実施するための形態】
【００１０】
以下、本発明の照明装置に係る好適な実施形態について、図面を参照しながら説明する。なお、本発明の照明装置は、以下の記述に限定されるものではなく、本発明の要旨を逸脱しない範囲において、適宜変更可能である。
【００１１】
また、以下の説明においては、最初に本発明の第１の実施形態の照明装置１について図１乃至図２４を参照しながら説明する。次に本発明の第２の実施形態の照明装置２について図２５乃至図２９を参照しながら説明する。次に本発明の第３の実施形態の照明装置３について図３０乃至図３３を参照しながら説明する。次に本発明の第４の実施形態の照明装置４について図３４を参照しながら説明する。次に本発明の第５の実施形態の照明装置５について図３５乃至図３７を参照しながら説明する。次に本発明の第６の実施形態の照明装置６について図３８を参照しながら説明する。次に本発明の第７の実施形態の照明装置７について図３９を参照しながら説明する。次に本発明の第８の実施形態の照明装置８について図４０を参照しながら説明する。次に本発明の第９の実施形態の照明装置９について図４１乃至図４４を参照しながら説明する。最後に本発明の第１乃至第９の実施形態の照明装置にそれぞれ配設される導光板の製造方法について説明する。
【００１２】
［第１の実施形態］
以下、本発明の第１の実施形態の照明装置１について、図１乃至図２４を参照しながら、具体的に説明する。
【００１３】
第１の実施形態の照明装置１は、例えば図１に示すように、導光部１００、筐体部２００、及び保持部３００から構成される。以下、照明装置１の各構成について順に説明する。
【００１４】
第１の実施形態の照明装置１を構成する導光部１００は、入射面から入射した光を主面に形成された凹状又は凸状のパターンから拡散光として導出する導光板を組み合わせて設けている。この様な導光部１００に関し、先ず導光部１００に設けられる導光板の基本的な仕様について図２を参照しながら説明する。次に導光部１００に設けられる導光板の基本的な光学特性について図７乃至図９を参照しながら説明する。さらに導光部１００に設けられる導光板の複数に分岐された部分の形状について図１０乃至図１８を参照しながら説明する。さらに導光部１００の外形形状について図１９乃至図２３を参照しながら説明する。さらに、導光部１００に設けられる導光板の応用例について図２４を参照しながら説明する。
【００１５】
先ず、導光部１００に設けられる導光板の基本的な仕様について、図２を参照しながら説明する。導光部１００は、例えば導光板１１及び導光板１２を十字状に組み合わせて構成されている。また、導光板１１及び導光板１２は、それぞれ例えばアクリル樹脂板から成る。なお、導光板１１及び導光板１２は、無色の樹脂板に限定されることは無く、着色された樹脂板を用いても良い。また、導光板１１及び導光板１２は、例えば可視域の光を照射されることにより拡散光を発する微粒子状の拡散部材を添加した樹脂板を用いても良い。同様に、導光板１１及び導光板１２は、例えば紫外域や可視域の光を照射されることにより蛍光を発する蛍光剤を塗布又は添加した樹脂板を用いても良い。また、導光板１１及び導光板１２は、所定の形状に形成されている。具体的には、導光板１１は、導光板１１の先端が、分岐部１１Ａ、分岐部１１Ｂ、分岐部１１Ｃ、及び分岐部１１Ｄの４つに分岐されている。また、導光板１１は、分岐部１１Ｂ及び分岐部１１Ｃの先端１１Ｇの長さが、分岐部１１Ａ及び分岐部１１Ｄの先端１１Ｇ'の長さよりも、長くなるように形成されている。さらに、導光板１１は、分岐部１１Ａと分岐部１１Ｂとの間に形成された切欠部１１Ｌと、分岐部１１Ｃと分岐部１１Ｄとの間に形成された切欠部１１Ｎとの深さが、略等しくなるように形成されている。また、導光板１１は、切欠部１１Ｍの深さが、左右に隣接して形成された切欠部１１Ｌ及び切欠部１１Ｎの深さよりも、深くなるように形成されている。
【００１６】
また、導光部１００に設けられる導光板の基本的な仕様に関し、導光板１１に挿入されて組み合わされる導光板１２は、導光板１１と同様に、該導光板１２の先端が、分岐部１２Ａ、分岐部１２Ｂ、分岐部１２Ｃ、及び分岐部１２Ｄの４つに分岐されている。また、導光板１２は、導光板１１と同様に、分岐部１２Ｂ及び分岐部１２Ｃの先端１２Ｇの長さが、分岐部１２Ａ及び分岐部１２Ｄの先端１２Ｇ'の長さよりも、長くなるように形成されている。さらに、導光板１２は、導光板１１と同様に、分岐部１２Ａと分岐部１２Ｂとの間に形成された切欠部１２Ｌと、分岐部１２Ｃと分岐部１２Ｄとの間に形成された切欠部１２Ｎとの深さが、略等しくなるように形成されている。また、導光板１２は、導光板１１と同様に、切欠部１２Ｍの深さが、左右に隣接して形成された切欠部１２Ｌ及び切欠部１２Ｎの深さよりも、浅くなるように形成されている。
【００１７】
同様に、導光部１００に設けられる導光板の基本的な仕様に関し、導光板１１の切欠部１１Ｍと、導光板１２の入射面１２Ｆの中央に設けられた接合部１２Ｊが接合するように、導光板１１に対して導光板１２が挿入されている。なお、切欠部１１Ｍと接合部１２Ｊを接合させた時に、導光板１１の入射面１１Ｆと導光板１２の入射面１２Ｆが同一平面上に位置するように、導光板１１及び導光板１２が形成されている。また、導光板１１及び導光板１２には、拡散光を導出する凹状のパターン、凸状のパターン、又は凹状及び凸状のパターンから成るパターン１１Ｐ及びパターン１２Ｐが、それぞれマトリクス状に形成されている。なお、パターン１１Ｐ及びパターン１２Ｐの間隔は、それぞれ例えば１ｍｍから６ｍｍである。また、導光板１１及び導光板１２には、それぞれ防水、防汚、及び防塵等の機能を有した図示せぬシリコーンコーティング剤又は硝子コーティング剤を塗布、もしくは防水、防汚、及び防塵等の機能を有した図示せぬ透明樹脂を被覆しても良い。
【００１８】
次に、導光部１００に設けられる導光板の基本的な光学特性について、図７乃至図９を参照しながら説明する。なお、図７乃至図９の各図（ａ）では、導光板の主面にパターンを図示することを省略している。ここで、図７では、導光板１１及び導光板１２の構成を簡略化した導光板１３と、該導光板１３に隣接した光源２１を、模式的に断面図で示している。導光板１３の入射面１３Ｆから入射された光源２１の光の一部は、例えば４つに分岐した分岐部１３Ａ乃至分岐部１３Ｄの間にそれぞれ形成された３つの切欠部１３Ｌ乃至切欠部１３Ｎにより、それぞれ広角に反射させることができる。ここで、切欠部１３Ｌ乃至切欠部１３Ｎで広角に反射された光の一部は、分岐部１３Ａ乃至分岐部１３Ｄにそれぞれ設けられた一主面１３Ｖと他主面１３Ｑの間を多重反射するため、一主面１３Ｖに複数形成されたパターン１３Ｗと他主面１３Ｑに複数形成されたパターン１３Ｒで、効率良く拡散光を発生させることができる。さらに、導光板１３の切欠部１３Ｍの深さを、左右に隣接して形成された切欠部１３Ｌ及び切欠部１３Ｎの深さよりも深くなるように形成すると、切欠部１３Ｍで広角に反射した光が分岐部１３Ａ及び分岐部１３Ｄに到達し易い。
【００１９】
また、導光部１００に設けられる導光板の基本的な光学特性に関し、導光板１３の入射面１３Ｆから入射された光源２１の光の一部は、切欠部１３Ｌ乃至切欠部１３Ｎを介することなく、分岐部１３Ａ乃至分岐部１３Ｄにそれぞれ設けられたパターン１３Ｗ及びパターン１３Ｒにより拡散光を発生させる。ここで、従来の導光板の様に単純な矩形状から形成されている導光板の場合、導光板の入射面から入射して直進した光の多くは、拡散光に変換されずに直進して先端から放出される。しかし、本願発明に係る導光板１３の様に、例えば４つに分岐された形状から成る場合、導光板１３の入射面１３Ｆから入射された光は、切欠部１３Ｌ乃至切欠部１３Ｎを介して、分岐部１３Ａ乃至分岐部１３Ｄにそれぞれ設けられた一主面１３Ｖと他主面１３Ｑの間を多重反射される。また、導光板１３に入射した光は、導光板１３の各面の間で全方位に反射することにより、例えば先端１３Ｇに斜入射で照射された後、該先端１３Ｇから放出されずに入射面１３Ｆ側に反射される。したがって、本願発明に係る導光板１３では、該導光板１３の入射面１３Ｆから入射した光が、拡散光に変換されずに直進して先端１３Ｇから放出される割合を、大幅に減少させることができる。
【００２０】
同様に、導光部１００に設けられる導光板の基本的な光学特性に関し、導光板１３に形成されたパターン１３Ｗ及びパターン１３Ｒの密度が十分に高ければ、該パターン１３Ｗ及びパターン１３Ｒで発生した複数の拡散光は略均一な面光源として、導光板１３の一主面１３Ｖ及び他主面１３Ｑから導出される。また、一主面１３Ｖのパターン１３Ｗで発生した拡散光の一部と、他主面１３Ｑのパターン１３Ｒで発生した拡散光の大部分は、視認者の目Ｅで視認される。このため、図７（ｂ）に示す一主面１３Ｖに複数形成されたパターン１３Ｗと他主面１３Ｑに複数形成されたパターン１３Ｒが対面同一に形成されている導光板１３よりも、図８（ｂ）に示す一主面１８Ｖに複数形成されたパターン１８Ｗと他主面１８Ｑに複数形成されたパターン１８Ｒが半ピッチずれて形成されている導光板１８の方が、視認者の目Ｅで視認される拡散光が発生するパターンの数が増加するため、導光板１８における光の明暗の差が小さくなる。さらに、光源２１の光の強度が導光板の入射面から先端に対して相対的に低下することから、図９（ｂ）に示すようにパターンの深さを導光板１９の入射面１９Ｆから先端１９Ｇに向かって段階的に深く形成することにより発生する拡散光の強度を上げて、複数のパターンで発生した拡散光の強度を平均化させることができる。同様に、パターンのピッチを、導光板１９の入射面１９Ｆから先端１９Ｇに向かって段階的に密になるように形成することにより、拡散光の強度を平均化させる構成としても良い。
【００２１】
さらに、導光部１００に設けられる導光板の複数に分岐された部分の形状について、図１０乃至図１８を参照しながら説明する。なお、図１０乃至図１８では、凹状又は凸状のパターンの図示を省略している。図１０に示す導光板１４Ａは、複数に分岐された部分の長さが異なるように形成されており、前述した図２に示す導光板１１及び導光板１２に相当する。また、図１１に示す導光板１４Ｂは、複数に分岐された部分の長さが同一になるように形成されており、図１０に示す導光板１４Ａを簡略化したものに相当する。また、図１２に示す導光板１４Ｃは複数に分岐された部分の先端の外側に向かって曲面が形成され、図１３に示す導光板１４Ｄは上記先端の内側に向かって曲面が形成され、図１４に示す導光板１４Ｅは上記先端の内側に向かって傾斜面が形成されている。また、図１４に示す導光板１４Ｅについては、上記先端の外側に向かって傾斜面を形成しても良い。この様な導光板１４Ｃ乃至導光板１４Ｅは、先端部分が特殊な形状に加工されていることにより、デザイン性に優れ、且つ視認する角度による光の強度分布の差を抑制することができる。また、導光板１４Ｃ乃至導光板１４Ｅは、先端部分で光が乱反射することにより、該光が各主面で多重反射し易くなる。したがって、導光板１４Ｃ乃至導光板１４Ｅの先端部分から外部に放出されてしまう光の割合が減少し、図示せぬ凹状や凸状のパターンで拡散光に変換される光の割合が増加することより、光の取り出し効率を向上させることができる。なお、導光板１４Ｃ乃至導光板１４Ｅの先端部分から外部に放出される光は、それぞれ照明装置１に対して外向き、内向き、及び内向きで斜めに導出される。
【００２２】
また、導光部１００に設けられる導光板の複数に分岐された部分の形状に関し、図１５に示す導光板１４Ｆは複数に分岐された部分の先端にそれぞれ所定の深さの円柱形状から成る凹部が形成され、図１６に示す導光板１４Ｇは上記先端にそれぞれ所定の深さの円錐形状から成る凹部が形成されている。この様な導光板１４Ｆ及び導光板１４Ｇは、導光板１４Ｃ乃至導光板１４Ｅと同様に、先端部分が特殊な形状に加工されていることにより、デザイン性に優れ、且つ視認する角度による光の強度分布の差を抑制することができる。また、導光板１４Ｆ及び導光板１４Ｇは、例えばボール盤を用いて、導光板の複数に分岐された部分の先端に円柱形状又は円錐形状から成る凹部を形成する際に、該凹部の表面精度を粗くすることにより、該凹部の内周面で光を拡散反射させることができる。したがって、導光板１４Ｆ及び導光板１４Ｇにおける光の取り出し効率を、向上させることができる。
【００２３】
同様に、導光部１００に設けられる導光板の複数に分岐された部分の形状に関し、図１７に示す導光板１４Ｈは複数に分岐された部分の先端がそれぞれ台形台形状に形成され、図１８に示す導光板１４Ｉは上記先端がそれぞれ円錐台形状に形成されている。この様な導光板１４Ｈ及び導光板１４Ｉは、導光板１４Ｃ乃至導光板１４Ｇと同様に、先端部分が特殊な形状に加工されていることにより、デザイン性に優れ、且つ視認する角度による光の強度分布の差を抑制することができる。また、導光板１４Ｈ及び導光板１４Ｉには、例えばフライス盤を用いてエンドミル加工を施すことにより、導光板の複数に分岐された部分の先端に、台形台形状又は円錐台形状から成る凸部が形成されている。この様に、導光板１４Ｈ及び導光板１４Ｉの先端部分に、台形台形状又は円錐台形状から成る凸部を形成することにより、直交する角の部分が取り除かれ、導光板の内部で光が多重反射し易くなる。したがって、導光板１４Ｈ及び導光板１４Ｉにおける光の取り出し効率を、向上させることができる。また、導光板１４Ｈ及び導光板１４Ｉの先端部分は、台形台形状又は円錐台形状から成る略レンズ状で形成されているため、該先端部分から外部に放出される光は略平行光となる。
【００２４】
同様に、導光部１００に設けられる導光板の複数に分岐された部分の形状に関し、図１０乃至図１８を参照しながら上述した導光部１００に設けられる導光板については、例えばそれぞれ入射面から先端にかけて捻るように形成しても良い。また、導光板の複数に分岐された部分については、断面が矩形状のものに限定されることはなく、例えば断面が円形状や楕円形状又は多角柱形状になるように形成しても良い。同様に、導光板の複数に分岐された部分については、例えば導光板の入射面から先端に向けて断面積が小さくなる錐形状で形成しても良い。また、導光板の側面及び先端の一部又は全ての表面精度を粗くすることにより、導光板の内部から側面及び先端に照射された光を、該側面及び先端において拡散反射させる構成にしても良い。また、図１０乃至図１８を参照しながら上述した導光部１００に設けられる導光板の複数に分岐された部分の形状については、他の実施形態の照明装置にも適用できる。
【００２５】
さらに、導光部１００の外形形状について、図１９乃至図２３を参照しながら説明する。図１９に示す導光部１１０は、複数に分岐された部分の長さが同一になるように形成された導光板１１１及び導光板１１２を組み合わせて設けており、複数に分岐された部分の長さ以外の基本的な仕様は前述した導光部１００と同一である。また、図２０に示す導光部１２０は、導光部１００の応用例に相当する。この様な導光部１２０は、十字状に４つに分岐された部分がそれぞれ台形形状となるように形成された導光板１２１及び導光板１２２を組み合わせて設けている。ここで、導光板１２１は、該導光板１２１の先端１２１Ｇが、分岐部１２１Ａ及び分岐部１２１Ｂの２つに分岐されている。さらに、導光板１２１は、分岐部１２１Ａ及び分岐部１２１Ｂの先端１２１Ｇが、照明装置１の周辺から中心に向かって低くなるように、保持部３００に対して傾斜していることで、台形形状に形成されている。また、導光板１２１に挿入されて組み合わされる導光板１２２は、導光板１２１と同様の形状である。
【００２６】
同様に、導光部１００の外形形状に関し、図２１に示す導光部１３０は、導光部１００の応用例に相当する。この様な導光部１３０は、十字状に設けられた４つの先端がそれぞれ円弧状になるように形成された導光板１３１及び導光板１３２を組み合わせて設けている。ここで、導光板１３１は、該導光板１３１の先端１３１Ｇが、分岐部１３１Ａ及び分岐部１３１Ｂの２つに分岐されている。さらに、導光板１３１は、分岐部１３１Ａ及び分岐部１３１Ｂの先端１３１Ｇが、照明装置１の周辺から中心に向かってそれぞれ高くなるように、保持部３００に対して湾曲していることで、それぞれ円弧状に形成されている。また、導光板１３１に挿入されて組み合わされる導光板１３２は、先端１３２Ｇが、照明装置１の周辺から中心に向かって湾曲していることで、半円形状に形成されている。
【００２７】
同様に、導光部１００の外形形状に関し、図２２に示す導光部１４０は、導光部１００の応用例に相当する。この様な導光部１４０は、十字状に設けられた４つの側面がそれぞれ多角形状となるように導光板１４１及び導光板１４２を組み合わせて設けている。ここで、導光板１４１は、該導光板１４１の先端１４１Ｇが、分岐部１４１Ａ及び分岐部１４１Ｂの２つに分岐されている。さらに、導光板１４１は、分岐部１４１Ａの側面１４１Ｕが、それぞれ異なる角度で連続した５つの面から成る側面１４１Ｕにより、多角形状に形成されている。なお、導光板１４１の分岐部１４１Ｂは、分岐部１４１Ａと対面同一となるように形成されている。また、導光板１４１に挿入されて組み合わされる導光板１４２も、対向して設けられた側面１４２Ｕのそれぞれが、それぞれ異なる角度で連続した５つの面から成ることにより、多角形状に形成されている。
【００２８】
同様に、導光部１００の外形形状に関し、図２３に示す導光部１５０は、導光部１００の応用例に相当する。この様な導光部１５０は、十字状に設けられた４つの側面がそれぞれ流線形状となるように導光板１５１及び導光板１５２を組み合わせて設けている。ここで、導光板１５１は、該導光板１５１の先端１５１Ｇが、分岐部１５１Ａ及び分岐部１５１Ｂの２つに分岐されている。さらに、導光板１５１は、分岐部１５１Ａの側面１５１Ｕが曲線状に加工されていることにより、流線形状に形成されている。なお、導光板１５１の分岐部１５１Ｂは、分岐部１５１Ａと対面同一となるように形成されている。また、導光板１５１に挿入されて組み合わされる導光板１５２も、対向して設けられた２つの側面１５２Ｕのそれぞれが、曲線状に加工されていることにより、流線形状に形成されている。なお、導光部１００乃至導光部１３０について、各導光部の先端から垂直方向に１ｍ離間した位置と、該１ｍ離間した位置から水平方向に３０ｃｍ、５０ｃｍ、及び１００ｃｍ離れた位置の計４箇所における、照度［ｌｘ］の測定結果の一例を表１に示す。なお、光源の条件は各導光部において同一である。また、図１９乃至図２３を参照しながら上述した導光部１００の外形形状については、他の実施形態の照明装置にも適用できる。
【００２９】
【表１】
0005437896.tif 000002
【００３０】
さらに、導光部１００に設けられる導光板の応用例について、図２４を参照しながら説明する。なお、図２４の各図では、凹状又は凸状のパターンの図示を省略している。図２４（ａ）に、導光板１５の端部を隣接する導光板１５の端部に接続することで、内部に空間を設けた三角柱形状に組み合わせた３つの導光板１５を示している。同様に、図２４（ｂ）に、内部に空間を設けた三角柱形状になるように、例えば成型加工により一体成型された導光板１５'を示している。なお、導光板は、図２４（ａ）及び図２４（ｂ）に示すように、内部に空間を設けた三角柱形状に限定されることはなく、例えば内部に空間を設けた四角柱や五角柱等から成る多角柱としても良い。また、図２４（ｃ）に、湾曲した導光板１６の端部を隣接する湾曲した導光板１６の端部に接続することで、円筒形状に組み合わせた３つの湾曲した導光板１６を示している。同様に、図２４（ｄ）に、円筒形状になるように、例えば成型加工により一体成型された導光板１６'を示している。なお、導光板は、図２４（ｃ）及び図２４（ｄ）に示すように、断面が円状から成る円筒形状に限定されることはなく、例えば断面が楕円状から成る円筒形状としても良い。
【００３１】
また、導光部１００に設けられる導光板の応用例に関し、図２４（ｅ）に、導光板１７を組み合わせて十字形状に設けた４つの導光板１７を示している。同様に、図２４（ｆ）に、十字形状になるように、例えば成型加工により一体成型された導光板１７'を示している。なお、導光板は、図２４（ｅ）及び図２４（ｆ）に示すように、中心から４つの枝部を突出させて十字形状にしたものに限定されることはなく、例えば中心から３つ又は５つ等の複数の枝部を突出させたものとしても良い。なお、図２４の各図には図示していないが、導光板を、例えば内部に空間を設けず、断面が多角形状や円形状又は楕円形状等になるように、成型加工により一体成型しても良い。また、図２４（ｂ）や図２４（ｄ）及び図２４（ｆ）に示す導光板については、例えば射出成型機と金型を用いた成型加工により、導光板の外形形状と該外形形状の表面に設けられる凹状又は凸状のパターンとを一体成型する方法に限定されることはない。具体的には、例えば成型加工により導光板の外形形状のみを形成した上で、例えば超音波加工により導光板の表面に凹状のパターンを形成しても良い。同様に、例えば成型加工により導光板の外形形状のみを形成した上で、例えばシルク印刷加工により導光板の表面に凸状のパターンを形成しても良い。また、図２４を参照しながら上述した導光部１００に設けられる導光板の応用例については、他の実施形態の照明装置にも適用できる。
【００３２】
第１の実施形態の照明装置１を構成する筐体部２００は、例えば図２に示すように、導光部１００に隣接し、光源部及び電源部を設けている。ここで、光源部は、導光板１１及び導光板１２の入射面１１Ｆ及び入射面１２Ｆから、対向する先端１１Ｇ及び先端１２Ｇに向かって、導光板１１及び導光板１２の内部に光を導入する。この様な光源部は、光源２１及び基板２２から構成されている。以下、光源部の構成について説明する。光源部の光源２１には、例えば白色で発光する発光ダイオード(ＬＥＤ：Ｌｉｇｈｔ Ｅｍｉｔｔｉｎｇ Ｄｉｏｄｅ)を用いる。より具体的には、ＬＥＤには、該ＬＥＤの色温度が例えば３０００ケルビン程度の昼光色、又は６０００ケルビン程度の冷白色のものを用いる。ここで、図２及び図４に示すように、一例として、十字状に組み合わされた導光板１１及び導光板１２の入射面１１Ｆ及び入射面１２Ｆに沿って、１０個の表面実装型のＬＥＤを十字状に配列している。なお、光源２１は、白色のＬＥＤに限定されることはなく、例えば白色、赤色、橙色、黄色、緑色、青色、藍色、又は紫色のいずれかの色若しくはそれらの色の組み合わせから成るＬＥＤで構成しても良い。紫外域の光を発するＬＥＤで構成しても良い。同様に、光源２１は、ＬＥＤに限定されることはなく、例えば有機発光ダイオード、蛍光管、冷陰極管、又はネオン管で構成しても良い。
【００３３】
また、筐体部２００に関し、光源部の基板２２は、光源２１を実装するための部材である。この様な基板２２は、例えば軽量で一定の強度を有するアルミニウムから成り、円盤状から形成されている。なお、基板２２の材質には、放熱性に優れた銅や、加工性に優れたガラエポ基板を用いても良い。また、基板２２の裏面２２Ａが、後述する筐体部２００の筐体２３の一面２３Ａに、後述する保持部３００の保持部材３１を介して、導光板１１及び導光板１２と共に着脱可能に固定されている。なお、基板２２を、例えばネジから成る別個の固定部材を用いて、筐体２３の一面２３Ａに対して独立して着脱可能に保持する構成としても良い。
【００３４】
同様に、筐体部２００に関し、電源部は、光源部に所定の駆動電力を供給する。この様な電源部は、電源ユニット２４を収納する筐体２３及び電源ユニット２４から構成されている。以下、電源部の構成について説明する。電源部の筐体２３は、例えばアルミニウムから成り、段差を有した円筒形状から形成されている。この様な筐体２３の一面２３Ａには、基板２２の裏面２２Ａが係合されている。また、筐体２３の他面２３Ｂに形成された係合孔２３Ｃを、室内設備に配設され交流の電圧１００Ｖの電源ラインである電路部Ｔに着脱可能に嵌め込むことにより、電源ユニット２４に電力が供給される。また、筐体２３の外周面２３Ｄに、筐体２３の表面積を増加させて、例えば電圧１００Ｖの交流を電圧２４Ｖの直流に変換する際に生じた熱を効率良く放熱させる、凹凸状等から成るフィンを形成しても良い。また、電源部の電源ユニット２４は、外部から供給される電力を、光源２１の定格に合わせて、１００Ｖから例えば２４Ｖに降圧、直流の定電流への整流、整流後のパルス変調、及びノイズの除去等を行うためのものである。この様な電源ユニット２４は、例えば変圧器、整流器、及びコンデンサ等から構成される。なお、電源ユニット２４の構成に関し、光源部の光源に例えば蛍光管、冷陰極管、又はネオン管を用いる場合には、外部から供給される交流の電力を直流に変換せずに用いることができる。
【００３５】
同様に、筐体部２００に関し、該筐体部２００の変形例である筐体部２３０は、図６（ａ）に示す筐体部２００と異なり、図６（ｂ）に示すように例えば屋内施設に施工されているソケットにねじ込んで電力の供給を受ける口金２３Ｈを設けている。また、口金２３Ｈは、口金形状に限定されることは無く、例えば、コンセントに差し込んで電力の供給を受けるプラグや、発電機又は蓄電池を接続して電力の供給を受ける端子としても良い。なお、口金２３Ｈの直径は、例えば一般的なサイズである直径２６ｍｍである。なお、筐体部２３０の口金２３Ｈの構成は、他の実施形態の照明装置の筐体部にも適用できる。
【００３６】
第１の実施形態の照明装置１を構成する保持部３００は、例えば図３に示すように、導光部１００の導光板１１及び導光板１２に係合し、少なくとも導光板１１及び導光板１２を筐体２３に着脱可能に保持する。この様な保持部３００は、保持部材３１と固定部材３２から構成されている。以下、保持部３００の構成について説明する。保持部３００の保持部材３１は、それぞれ半円盤状から成る一対の保持部材３１から構成されている。具体的には、一対の保持部材３１は、それぞれ該保持部材３１の中央に開口された溝部３１Ａを、導光板１２の分岐部１２Ａに設けられた係合部１２Ｈに挿入して係合している。さらに、一対の保持部材３１は、それぞれ該保持部材３１の両端に形成された突起部３１Ｂを、導光板１１の分岐部１１Ａ及び分岐部１１Ｄの下部にそれぞれ設けられた凹状の係合部１１Ｈに挿入して係合している。
【００３７】
また、保持部３００に関し、図２及び図５（ａ）に示すように、導光板１１に導光板１２が挿入され、且つ一対の保持部材３１がそれぞれ係合されている状態で、例えばネジから成る固定部材３２を、一対の保持部材３１にそれぞれ孔３１Ｄ、及び基板２２に複数開口されたネジ孔２２Ｂの順で通す。その上で、固定部材３２を、筐体部２００の筐体２３の一面２３Ａに複数設けられたネジ孔２３Ｅにネジ留めすることにより、導光板１１と導光板１２及び基板２２を筐体２３に対してそれぞれ着脱可能に保持する。なお、一対の保持部材３１の内周面で、それぞれ筐体２３の外周面２３Ｄに設けられた係合溝２３Ｆを覆っている。また、図２及び図５（ｂ）に示すように、導光板１１に導光板１２が挿入され、且つ一対の保持部材３１が係合されている状態で、筐体２３の内周面に設けられたネジ溝２３Ｉに、一対の保持部材３１の外周面にそれぞれ形成されたネジ山３１Ｆをねじ込むことにより、導光板１１と導光板１２を筐体２３に対してそれぞれ着脱可能に保持しても良い。この場合、基板２２は、例えばネジから成る固定部材を用いて、筐体２３の一面２３Ａに複数設けられたネジ孔２３Ｅに直接保持する。
【００３８】
以上、第１の実施形態に係る照明装置１によれば、施設の環境やユーザの好みに合わせて、スポット型や電球型など光の配光特性やデザイン性が異なる発光部分に相当する導光部１００を、保持部３００を用いて容易に着脱して交換することができる。したがって、照明装置１を用いれば、異なる仕様に合わせて複数の照明装置を用意する必要が無く、コストや収納スペースを削減することができる。また、第１の実施形態に係る照明装置１によれば、導光部１００に十字状に立体的に組み合わせた複数の導光板を設けている。したがって、照明装置１に設けられた導光板から導出された拡散光は隣接する導光板に遮光されることなく放出される。同様に、第１の実施形態に係る照明装置１によれば、導光板の先端を特殊な形状に形成することが可能である。したがって、照明装置１によって照射される角度によらず光強度分布の差を抑制することができる。同様に、第１の実施形態に係る照明装置１によれば、導光板を複数に分岐させることで、導光板の内部で光を正反射させる側面の表面積が増加することから、該側面間で光が多重反射し易くなる。したがって、照明装置１では、導光板の先端から放出されてしまう光の割合が減少し、凹状や凸状のパターンで拡散光に変換される光の割合が増加することより、光の取り出し効率を向上させることができる。
【００３９】
［第２の実施形態］
以下、本発明の第２の実施形態の照明装置２について、図２５乃至図２９を参照しながら、具体的に説明する。
【００４０】
なお、本発明の第２の実施形態の照明装置２は、第１の実施形態の照明装置１を構成する筐体部２００に放熱部と反射部を加えた筐体部２１０を配設していることに特徴を有している。また、それ以外の第２の実施形態に係る構成は、第１の実施形態で述べた構成と同様である。具体的には、第２の実施形態の照明装置２は、例えば図２５に示すように、第１の実施形態の照明装置１と同様の仕様から成る導光部１００及び保持部３００と、第２の実施形態の照明装置２に特有の筐体部２１０から構成される。そこで、第２の実施形態においては、第１の実施形態とは異なる構成である筐体部２１０について中心に説明する。
【００４１】
第２の実施形態の照明装置２を構成する筐体部２１０は、例えば図２７に示すように、導光部１００に隣接し、光源部と電源部と放熱部と反射部とを設けている。なお、筐体部２１０の筐体２３は、第１の実施形態の照明装置１を構成する筐体部２００の筐体２３と同様の仕様であるが、後述する放熱部の上板材２５をねじ込んで接合するためのネジ山から成る接合面２３Ｇが、外周面２３Ｄに形成されている。また、筐体部２１０に設けられた光源部と電源部は、筐体部２００に設けられたものと同一である。そこで、以下、筐体部２１０に設けられた放熱部と反射部について順に説明する。筐体部２１０に設けられた放熱部は、光源部の光源２１で発生した熱を放熱させる。この様な放熱部は、上板材２５、外枠材２６、外缶材２７、及び縁材２８を組み合わせて円筒状に形成されている。以下、放熱部の構成について説明する。放熱部の上板材２５は、例えばアルミニウムから成り、円盤状に形成されている。また、上板材２５の中央には貫通孔が設けられ、該貫通孔の内周面２５Ｃには、筐体２３の接合面２３Ｇを係合させるためのネジ溝が形成されている。なお、上板材２５の上面２５Ｂに、表面積を増加させて光源２１で発生した熱を効率良く放熱させるための例えば凹凸状から成るフィンを形成しても良い。
【００４２】
また、筐体部２１０に関し、放熱部の外枠材２６は、例えばアルミニウムから成り、円筒状に形成されている。なお、外枠材２６の上部２６Ａが、上板材２５の下面２５Ａの外周に例えば接着固定されている。また、放熱部の外缶材２７は、例えばアルミニウムから成り、円錐台状に形成されている。なお、外缶材２７の上部２７Ａが上板材２５の下面２５Ａに例えばネジ留めされ、且つ該外缶材２７の下部２７Ｂが外枠材２６の内周面に当接している。また、放熱部の縁材２８は、例えばアルミニウムから成り、略リング状に形成されている。なお、縁材２８の凹部２８Ａに、外枠材２６の下部２６Ｂ、外缶材２７の下部２７Ｂ、及び後述する反射部材２９の下部２９Ｂがそれぞれ挿入されて、例えば接着固定されている。
【００４３】
同様に、筐体部２１０に関し、該筐体部２１０に設けられた反射部は、導光板１１及び導光板１２から導出された光を所定の方向に反射させる。この様な反射部は、反射部材２９から構成されている。以下、反射部材２９について説明する。反射部材２９は、例えばアルミニウムから成り、放物面や非球面又は楕円面から成る円錐台状に形成されている。また、反射部材２９の上部２９Ａが外缶材２７の上部２７Ａに例えば接着固定され、且つ該反射部材２９の下部２９Ｂが外缶材２７の内周面に当接し、縁材２８の凹部２８Ａに挿入された状態で例えば接着固定されている。なお、反射部材２９に、可視光領域で十分な反射率を有する金属膜を蒸着させても良い。ここで、導光板１１及び導光板１２から導出された拡散光の一部は、反射部材２９に照射され、該照射された光の大部分は照明装置２の外部に導出される。
【００４４】
なお、筐体部２１０に関し、図２８に示す導光部１２０'の各導光板は、図２０に示す導光部１２０の導光板１２１及び導光板１２２を、筐体部２１０の反射部材２９の長さに合わせて、延長したものに相当する。同様に、図２９に示す導光部１３０'の各導光板は、図２１に示す導光部１３０の導光板１３１及び導光板１３２を、筐体部２１０の反射部材２９の長さに合わせて、延長したものに相当する。
【００４５】
以上、第２の実施形態に係る照明装置２によれば、照明装置１と同様に、施設の環境やユーザの好みに合わせて、スポット型や電球型など光の配光特性やデザイン性が異なる発光部分に相当する導光部１００を、保持部３００を用いて容易に着脱して交換することができる。したがって、照明装置２を用いれば、異なる仕様に合わせて複数の照明装置を用意する必要が無く、コストや収納スペースを削減することができる。また、第２の実施形態に係る照明装置２によれば、照明装置１と同様に、導光部１００に十字状に立体的に組み合わせた複数の導光板を設けている。したがって、照明装置２に設けられた導光板から導出された拡散光は隣接する導光板に遮光されることなく放出される。同様に、第２の実施形態に係る照明装置２によれば、照明装置１と同様に、導光板の先端を特殊な形状に形成することが可能である。したがって、照明装置２によって照射される角度によらず光強度分布の差を抑制することができる。同様に、第２の実施形態に係る照明装置２によれば、照明装置１と同様に、導光板を複数に分岐させることで、導光板の内部で光を正反射させる側面の表面積が増加することから、該側面間で光が多重反射し易くなる。したがって、照明装置２では、導光板の先端から放出されてしまう光の割合が減少し、凹状や凸状のパターンで拡散光に変換される光の割合が増加することより、光の取り出し効率を向上させることができる。
【００４６】
さらに、第２の実施形態に係る照明装置２によれば、照明装置１を構成する筐体部２００に１０Ｗ程度までの出力に対応した放熱部と反射部を加えた筐体部２１０を配設している。したがって、照明装置２では、放熱部により中出力に対応した放熱が可能であり、且つ反射部により導光板から導出された光の一部を所定の方向に反射させて光の強度分布を最適化することが可能である。
【００４７】
［第３の実施形態］
以下、本発明の第３の実施形態の照明装置３について、図３０乃至図３３を参照しながら、具体的に説明する。
【００４８】
なお、本発明の第３の実施形態の照明装置３は、第１及び第２の実施形態に係る複数の導光板を十字状に組み合わせて設けた導光部１００と異なり、導光板を並列に複数設けた導光部１６０に特徴を有している。この様な第３の実施形態の照明装置３は、例えば図３０及び図３１に示すように、導光板を並列に複数設けた導光部１６０と、並列に複数配列された導光板に対応した光源配置を有する筐体部２２０と、複数の導光板を個別に保持する保持部３１０から構成される。以下、第３の実施形態においては、第１及び第２の実施形態とは異なる構成に関し、導光部１６０、保持部３１０、及び筐体部２２０の順に説明する。
【００４９】
第３の実施形態の照明装置３を構成する導光部１６０は、例えば図３０及び図３１に示すように、入射面から入射した光を主面に形成された凹状又は凸状のパターンから拡散光として導出する導光板を並列に複数設けている。この様な導光部１６０は、例えば、導光板１６１、導光板１６２、及び導光板１６３に、それぞれ接合部材１６４を装着して構成されている。ここで、導光板１６１は、例えばアクリル樹脂板やメタクリル樹脂板から成り、先端が５つに分岐されている。また、導光板１６１は、５つに分岐された部位の長さが、例えば中心から両端に向かって順に短くなるようにそれぞれ形成されている。また、導光板１６１は、導光部１００の導光板１１及び導光板１２と同様に、拡散光を導出する凹状のパターン、凸状のパターン、又は凹状及び凸状のパターンから成るパターンが、マトリクス状に形成されている。また、光源２１の光は、導光板１６１の入射面１６１Ｆから、導光板１６１の内部に入射される。また、導光板１６１の一端には、後述する保持部３１０と係合するための凸部から成る係合部１６１Ａが形成されている。同様に、導光板１６１の他端には、接合部材１６４と係合するための凸部から成る係合部１６１Ｂが形成されている。ここで、接合部材１６４は、例えば一定の湾曲性を有する樹脂板から成り、内部に空間を設けた板状に形成されている。なお、接合部材１６４の内部に設けられた空間に、導光板１６１の係合部１６１Ｂが挿入されている。
【００５０】
また、導光部１６０に関し、導光板１６２は、例えば先端が４つに分岐されている。また、導光板１６２は、４つに分岐された部位の長さが、例えば中心の２つよりも両端の２つの方が短くなるようにそれぞれ形成されている。また、導光板１６２の各分岐された部分の長さは、導光板１６１の各分岐された部分の長さよりも、全体的に短く形成されている。なお、その他の導光板１６２の仕様は、導光板１６１の仕様と同様である。また、導光板１６３は、例えば先端が３つに分岐されている。また、導光板１６３は、３つに分岐された部位の長さが、例えば中心の１つよりも両端の２つの方が短くなるようにそれぞれ形成されている。また、導光板１６３の各分岐された部分の長さは、導光板１６２の各分岐された部分の長さよりも、全体的に短く形成されている。なお、その他の導光板１６３の仕様は、導光板１６１の仕様と同様である。ここで、導光部１６０は、例えば導光板１６３、導光板１６２、導光板１６１、導光板１６２、及び導光板１６３の順に、５つの導光板を並列して設けている。なお、導光板１６１乃至導光板１６３には、導光部１００の導光板１１及び導光板１２と同様に、防水、防汚、及び防塵等の機能を有した図示せぬ硝子コーティング剤を塗布、又は防水、防汚、及び防塵等の機能を有した図示せぬ透明樹脂を被覆しても良い。
【００５１】
第３の実施形態の照明装置を構成する保持部３１０は、例えば図３１（ａ）に示すように、導光部１６０の各導光板を、接合部材１６４を一時的に湾曲させることにより着脱可能に保持する。また、保持部３１０は、筐体部２２０に固定される。この様な保持部３１０は、保持部材３１１及び保持部材３１２から構成されている。以下、保持部３１０の構成について説明する。保持部３１０の保持部材３１１は、例えばプラスチックスから成り、板状に形成されている。なお、保持部材３１１の側面には凹部から成る係合部３１１Ａが形成され、例えば導光板１６１の係合部１６１Ｂに装着された接合部材１６４を係合している。ここで、係合部３１１Ａに、例えば接合部材１６４の幅に合わせて突起を形成することにより、隣接する導光板の位置決めを正確に行なえるようにしても良い。また、保持部材３１１の上面部３１１Ｂは、筐体部２２０を構成する外缶材２７の上部２７Ａに対して、ネジ留め又は接着剤により固定される。また、保持部材３１２は、保持部材３１１と同様に、例えばプラスチックスから成り、板状に形成されている。なお、保持部材３１２の側面には凹部から成る係合部３１２Ａが形成され、例えば導光板１６１の係合部１６１Ａを係合している。ここで、係合部３１２Ａに、例えば導光板１６１の係合部１６１Ａの幅に合わせて突起を形成することにより、隣接する導光板の位置決めを正確に行なえるようにしても良い。また、保持部材３１２の上面部３１２Ｂは、外缶材２７の上部２７Ａに対して、ネジ留め又は接着剤により固定される。
【００５２】
また、保持部３１０に関し、図３２（ａ）に示す保持部３２０は、保持部３１０の応用例に相当する。この様な保持部３２０は、導光部１６０の各導光板を、例えば接合部材３２３の操作部３２３Ｃを左右に操作し、一時的に接合部材３２３を左右に移動させることにより着脱可能に保持する。この様な保持部３２０は、保持部材３２１、保持部材３２２、及び接合部材３２３から構成されている。以下、保持部３２０の構成について説明する。保持部３２０の保持部材３２１は、例えばプラスチックスから成り、板状に形成されている。なお、保持部材３２１の側面には孔が複数形成され、それぞれ後述する接合部材３２３の付勢部３２３Ａの一部を収納している。また、保持部材３２１の上面部３２１Ｂは、筐体部２２０を構成する外缶材２７の上部２７Ａに対して固定される。また、保持部材３２２は、保持部３１０の保持部材３１２と同一の仕様である。また、保持部３２０の複数設けられた接合部材３２３は、それぞれ例えばプラスチックスから成り、長方体に形成されている。また、接合部材３２３の付勢部３２３Ａは、例えばバネと軸芯から成り、保持部材３２１の側面に形成された孔３２１Ｃに、該バネの一端が挿入され固定されている。また、接合部材３２３の上面部３２３Ｂは、筐体部２２０を構成する外缶材２７の上部２７Ａに対して当接している。また、接合部材３２３の操作部３２３Ｃは、本体と一体に棒状から成型されている。なお、接合部材３２３の側面には凹部から成る係合部３２３Ｄが形成され、例えば導光板１６１の係合部１６１Ｂを係合している。
【００５３】
第３の実施形態の照明装置を構成する筐体部２２０は、例えば図３３に示すように、光源２１を基板２２に対してマトリクス状に配設している。また、光源２１は、例えば１行目と７行目に６個、２行目と６行目に８個、及び３行目乃至５行目に１０個ずつ配設されている。上記のマトリクス状に配設された光源２１に対応するように、例えば導光板１６３、導光板１６２、導光板１６１、導光板１６２、及び導光板１６３の順で、各導光板が配設されている。なお、基板２２は、例えばネジ孔２２Ｇを用いて、筐体２３の一面２３Ａにネジ留めする。
【００５４】
以上、第３の実施形態に係る照明装置３によれば、照明装置１及び照明装置２と同様に、施設の環境やユーザの好みに合わせて、スポット型や電球型など光の配光特性やデザイン性が異なる発光部分に相当する導光部１６０を、例えば保持部３１０を用いて容易に着脱して交換することができる。したがって、照明装置３を用いれば、異なる仕様に合わせて複数の照明装置を用意する必要が無く、コストや収納スペースを削減することができる。また、第３の実施形態に係る照明装置３によれば、照明装置１及び照明装置２と同様に、導光部１６０に導光板を複数設けており、さらに導光板の先端を特殊な形状に形成することが可能である。したがって、照明装置３によって照射される角度によらず、光強度分布の差を抑制することができる。同様に、第３の実施形態に係る照明装置３によれば、照明装置１及び照明装置２と同様に、導光板を複数に分岐させることで、導光板の内部で光を正反射させる側面の表面積が増加することから、該側面間で光が多重反射し易くなる。したがって、照明装置３では、導光板の先端から放出されてしまう光の割合が減少し、凹状や凸状のパターンで拡散光に変換される光の割合が増加することより、光の取り出し効率を向上させることができる。
【００５５】
さらに、第３の実施形態に係る照明装置３によれば、照明装置１を構成する筐体部２００に２０Ｗ程度までの出力に対応した放熱部と反射部を加えた筐体部２２０を配設している。したがって、照明装置３では、放熱部により高出力に対応した放熱が可能であり、且つ反射部により導光板から導出された光の一部を所定の方向に反射させて光の強度分布を最適化することが可能である。
【００５６】
［第４の実施形態］
以下、本発明の第４の実施形態の照明装置４について、図３４を参照しながら、具体的に説明する。
【００５７】
なお、本発明の第４の実施形態の照明装置４は、第１の実施形態の照明装置１を構成する導光部１００の各導光板の先端にレンズを設けた導光部１７０に特徴を有している。また、それ以外の第４の実施形態に係る構成は、第１の実施形態で述べた構成と同様である。具体的には、第４の実施形態の照明装置４は、例えば図３４に示すように、第１の実施形態の照明装置１と同様の仕様から成る筐体部２００及び保持部３００と、第４の実施形態の照明装置４に特有の導光部１７０から構成される。そこで、第４の実施形態においては、第１の実施形態とは異なる構成である導光部１７０について中心に説明する。
【００５８】
第４の実施形態の照明装置４を構成する導光部１７０は、図３４に示すように、入射面から入射した光を、主面に形成された凹状又は凸状のパターンから拡散光として導出し、且つ先端に形成されたレンズから屈折させて導出する導光板１７１及び導光板１７２を交差して設けている。ここで、導光板１７１は、該導光板１７１の先端が、分岐部１７１Ａ、分岐部１７１Ｂ、分岐部１７１Ｃ、及び分岐部１７１Ｄの４つに分岐されている。なお、導光板１７１は、分岐部１７１Ｂ及び分岐部１７１Ｃの先端１７１Ｇの長さが、分岐部１７１Ａ及び分岐部１７１Ｄの先端１７１Ｇ'の長さよりも、長くなるように形成されている。また、導光板１７１の先端１７１Ｇ及び先端１７１Ｇ'には、凸状のレンズ１７０Ｌが形成されている。同様に、導光板１７１に挿入されて組み合わされる導光板１７２は、導光板１７１と同様に、分岐部１７２Ａ、分岐部１７２Ｂ、分岐部１７２Ｃ、及び分岐部１７２Ｄの４つに分岐されている。なお、導光板１７２は、導光板１７１と同様に、分岐部１７２Ｂ及び分岐部１７２Ｃの先端１７２Ｇの長さが、分岐部１７２Ａ及び分岐部１７２Ｄの先端１７２Ｇ'の長さよりも、長くなるように形成されている。また、導光板１７２の先端１７２Ｇ及び先端１７２Ｇ'には、導光板１７１と同様に、凸状のレンズ１７０Ｌが形成されている。
【００５９】
また、導光部１７０に関し、レンズ１７０Ｌは、導光板１７１及び導光板１７２の各先端の全てに形成しても良いし、各先端の一部にのみ形成しても良い。また、レンズ１７０Ｌは、照明装置４に要求される光学特性に合わせて、例えばフレネルレンズ、非球面レンズ、又は球面レンズとする。なお、この場合、レンズ１７０Ｌから導出された光は、例えば略平行光又は略集光光となる。同様に、レンズ１７０Ｌは、凹状から成る非球面レンズ又は球面レンズとしても良い。なお、この場合、レンズ１７０Ｌから導出された光は、例えば略発散光となる。ここで、上述したレンズ１７０Ｌは、導光板１７１及び導光板１７２と一体に成型する。また、レンズ１７０Ｌは、導光板１７１及び導光板１７２の各先端を切削加工することにより、成形しても良い。同様に、レンズ１７０Ｌは、導光板１７１及び導光板１７２の各先端に対して、加熱して圧着したり、接着剤を用いて接着しても良い。
【００６０】
以上、第４の実施形態に係る照明装置４によれば、照明装置１乃至照明装置３と同様に、施設の環境やユーザの好みに合わせて、スポット型や電球型など光の配光特性やデザイン性が異なる発光部分に相当する導光部１７０を、例えば保持部３００を用いて容易に着脱して交換することができる。したがって、照明装置４を用いれば、異なる仕様に合わせて複数の照明装置を用意する必要が無く、コストや収納スペースを削減することができる。また、第４の実施形態に係る照明装置４によれば、照明装置１及び照明装置２と同様に、導光部１７０に十字状に立体的に組み合わせた複数の導光板を設けている。したがって、照明装置４に設けられた導光板から導出された拡散光は隣接する導光板に遮光されることなく放出される。同様に、第４の実施形態に係る照明装置４によれば、照明装置１乃至照明装置３と同様に、導光板を複数に分岐させることで、導光板の内部で光を正反射させる側面の表面積が増加することから、該側面間で光が多重反射し易くなる。したがって、照明装置４では、導光板の先端から放出されてしまう光の割合が減少し、凹状や凸状のパターンで拡散光に変換される光の割合が増加することより、光の取り出し効率を向上させることができる。
【００６１】
さらに、第４の実施形態に係る照明装置４によれば、導光部１００の各導光板の先端にレンズ１７０Ｌを設けた導光部１７０を配設している。したがって、照明装置４では、導光部１７０の各導光板の先端から導出される光を、レンズ１７０Ｌを介して、例えば略平行光又は略集光光とすることにより、光の配光特性を最適化することができる。
【００６２】
［第５の実施形態］
以下、本発明の第５の実施形態の照明装置５について、図３５乃至図３７を参照しながら、具体的に説明する。
【００６３】
なお、本発明の第５の実施形態の照明装置５は、第１乃至第４の実施形態に係る各保持部と異なり、隣接する導光板の間に位置するようにレンズを１つ以上設けた保持部３３０に特徴を有している。この様な第５の実施形態の照明装置５は、例えば図３５に示すように、前述した導光部１００と、隣接する導光板の間に位置するようにレンズを１つ以上設けた保持部３３０と、導光部１００に複数配列された導光板及び保持部３３０に複数配設されたレンズに対応した光源配置を有する筐体部２４０から構成される。以下、第５の実施形態においては、第１乃至第４の実施形態とは異なる構成に関し、保持部３３０及び筐体部２４０の順で説明する。
【００６４】
第５の実施形態の照明装置５を構成する保持部３３０は、図３６に示すように、隣接する導光板１１と導光版１２の間に位置するように、一対の保持部材３１の表面に、レンズ３３を例えば１つずつ設けている。また、レンズ３３は、照明装置５に要求される光学特性に合わせて、例えばフレネルレンズ、非球面レンズ、又は球面レンズとする。なお、この場合、レンズ３３から導出された光は、例えば略平行光又は略集光光となる。同様に、レンズ３３は、凹状から成る非球面レンズ又は球面レンズとしても良い。なお、この場合、レンズ３３から導出された光は、例えば略発散光となる。また、保持部３３０は、例えば可視域で透明なポリカーボネートを用い、一対の保持部材３１及びレンズ３３をそれぞれ一体に成型する。また、レンズ３３は、一対の保持部材３１の各表面を切削加工することにより、成形しても良い。同様に、レンズ３３は、一対の保持部材３１の各表面に対して、加熱して圧着したり、接着剤を用いて接着しても良い。また、レンズの個数は特に限定されるものではなく、例えば図３６に示す保持部３４０のように、隣接する導光板１１と導光版１２の間に位置するように、一対の保持部材３１の表面に、レンズ３４を例えば３つずつ設けても良い。なお、図３６（ｂ）及び図３７（ｂ）に示す孔３１Ｅは、図２に示す孔３１Ｄに相当する。
【００６５】
第５の実施形態の照明装置５を構成する筐体部２４０は、例えば図３６（ｂ）に示すように、隣接する導光板１１と導光版１２の間に位置するように１つずつ配設されたレンズ３３により、４個の光源２１からの光を例えば略平行光にして照明装置５から導出する。また、例えば図３７（ｂ）に示すように、隣接する導光板１１と導光版１２の間に位置するように３つずつ配設されたレンズ３４により、４個の光源２１からの光を例えば略平行光にして照明装置５から導出する。なお、同一の大きさのレンズをより密集させて設けても良いし、主たるレンズの周辺に該主たるレンズよりも小さなレンズを複数設けることにより、光源２１の光をより効率的に照明装置５から導出させる構成としても良い。
【００６６】
以上、第５の実施形態に係る照明装置５によれば、照明装置１乃至照明装置４と同様に、施設の環境やユーザの好みに合わせて、スポット型や電球型など光の配光特性やデザイン性が異なる発光部分に相当する導光部１００を、例えば保持部３３０を用いて容易に着脱して交換することができる。したがって、照明装置５を用いれば、異なる仕様に合わせて複数の照明装置を用意する必要が無く、コストや収納スペースを削減することができる。また、第５の実施形態に係る照明装置５によれば、照明装置１、照明装置２、及び照明装置４と同様に、導光部１００に十字状に立体的に組み合わせた複数の導光板を設けている。したがって、照明装置５に設けられた導光板から導出された拡散光は隣接する導光板に遮光されることなく放出される。同様に、第５の実施形態に係る照明装置５によれば、照明装置１乃至照明装置４と同様に、導光板の先端を特殊な形状に形成することが可能である。したがって、照明装置５によって照射される角度によらず光強度分布の差を抑制することができる。同様に、第５の実施形態に係る照明装置５によれば、照明装置１乃至照明装置４と同様に、導光板を複数に分岐させることで、導光板の内部で光を正反射させる側面の表面積が増加することから、該側面間で光が多重反射し易くなる。したがって、照明装置５では、導光板の先端から放出されてしまう光の割合が減少し、凹状や凸状のパターンで拡散光に変換される光の割合が増加することより、光の取り出し効率を向上させることができる。
【００６７】
さらに、第５の実施形態に係る照明装置５によれば、隣接する導光板の間に位置するように例えばレンズ３３を１つ設けた保持部３３０を配設している。したがって、照明装置５では、導光部１００のみの場合と比較して、照明装置５から導出される光量を増加させることができ、且つ例えば保持部３３０のレンズ３３から導出させる光を、略平行光、略集光光、又は略発散光とすることにより、光の配光特性を最適化することができる。
【００６８】
［第６の実施形態］
以下、本発明の第６の実施形態の照明装置６について、図３８を参照しながら、説明する。
【００６９】
なお、本発明の第６の実施形態の照明装置６は、第４の実施形態で述べた導光部１７０と、第２の実施形態で述べた筐体部２１０と、第１の実施形態で述べた保持部３００から構成される。このため、第６の実施形態においては、照明装置６の各構成に係る説明を省略する。
【００７０】
以上、第６の実施形態に係る照明装置６によれば、照明装置１乃至照明装置５と同様に、施設の環境やユーザの好みに合わせて、スポット型や電球型など光の配光特性やデザイン性が異なる発光部分に相当する導光部１７０を、保持部３００を用いて容易に着脱して交換することができる。したがって、照明装置６を用いれば、異なる仕様に合わせて複数の照明装置を用意する必要が無く、コストや収納スペースを削減することができる。また、第６の実施形態に係る照明装置６によれば、照明装置１、照明装置２、照明装置４、及び照明装置５と同様に、導光部１７０に十字状に立体的に組み合わせた複数の導光板を設けている。したがって、照明装置６に設けられた導光板から導出された拡散光は隣接する導光板に遮光されることなく放出される。同様に、第６の実施形態に係る照明装置６によれば、照明装置１乃至照明装置５と同様に、導光板を複数に分岐させることで、導光板の内部で光を正反射させる側面の表面積が増加することから、該側面間で光が多重反射し易くなる。したがって、照明装置６では、導光板の先端から放出されてしまう光の割合が減少し、凹状や凸状のパターンで拡散光に変換される光の割合が増加することより、光の取り出し効率を向上させることができる。
【００７１】
さらに、第６の実施形態に係る照明装置６によれば、照明装置４と同様に、導光部１００の各導光板の先端にレンズ１７０Ｌを設けた導光部１７０を配設している。したがって、照明装置６では、導光部１７０の各導光板の先端から導出される光を、レンズ１７０Ｌを介して、例えば略平行光又は略集光光とすることにより、光の配光特性を最適化することができる。また、第６の実施形態に係る照明装置６によれば、照明装置２と同様に、放熱部と反射部を加えた筐体部２１０を配設している。したがって、照明装置６では、放熱部により中出力に対応した放熱が可能であり、且つ反射部により導光板から導出された光の一部を所定の方向に反射させて光の強度分布を最適化することが可能である。
【００７２】
［第７の実施形態］
以下、本発明の第７の実施形態の照明装置７について、図３９を参照しながら、説明する。
【００７３】
なお、本発明の第７の実施形態の照明装置７は、第１の実施形態で述べた導光部１００と、第２の実施形態で述べた筐体部２１０において光源２１の配置のみ第５の実施形態の筐体部２４０の仕様に基づく筐体部２５０と、第５の実施形態で述べた保持部３３０から構成される。このため、第７の実施形態においては、照明装置７の各構成に係る説明を省略する。
【００７４】
以上、第７の実施形態に係る照明装置７によれば、照明装置１乃至照明装置６と同様に、施設の環境やユーザの好みに合わせて、スポット型や電球型など光の配光特性やデザイン性が異なる発光部分に相当する導光部１００を、保持部３３０を用いて容易に着脱して交換することができる。したがって、照明装置７を用いれば、異なる仕様に合わせて複数の照明装置を用意する必要が無く、コストや収納スペースを削減することができる。また、第７の実施形態に係る照明装置７によれば、照明装置１、照明装置２、照明装置４、照明装置５、及び照明装置６と同様に、導光部１００に十字状に立体的に組み合わせた複数の導光板を設けている。したがって、照明装置７に設けられた導光板から導出された拡散光は隣接する導光板に遮光されることなく放出される。同様に、第７の実施形態に係る照明装置７によれば、照明装置１乃至照明装置６と同様に、導光板の先端を特殊な形状に形成することが可能である。したがって、照明装置７によって照射される角度によらず光強度分布の差を抑制することができる。同様に、第７の実施形態に係る照明装置７によれば、照明装置１乃至照明装置６と同様に、導光板を複数に分岐させることで、導光板の内部で光を正反射させる側面の表面積が増加することから、該側面間で光が多重反射し易くなる。したがって、照明装置７では、導光板の先端から放出されてしまう光の割合が減少し、凹状や凸状のパターンで拡散光に変換される光の割合が増加することより、光の取り出し効率を向上させることができる。
【００７５】
さらに、第７の実施形態に係る照明装置７によれば、照明装置５と同様に、隣接する導光板の間に位置するように例えばレンズ３３を１つ設けた保持部３３０を配設している。したがって、照明装置７では、導光部１００のみの場合と比較して、照明装置７から導出される光量を増加させることができ、且つ例えば保持部３３０のレンズ３３から導出させる光を、略平行光、略集光光、又は略発散光とすることにより、光の配光特性を最適化することができる。また、第７の実施形態に係る照明装置７によれば、照明装置２等と同様に、放熱部と反射部を加えた筐体部２５０を配設している。したがって、照明装置７では、放熱部により中出力に対応した放熱が可能であり、且つ反射部により導光板から導出された光の一部を所定の方向に反射させて光の強度分布を最適化することが可能である。
【００７６】
［第８の実施形態］
以下、本発明の第８の実施形態の照明装置８について、図４０を参照しながら、説明する。
【００７７】
なお、本発明の第８の実施形態の照明装置８は、第３の実施形態で述べた導光部１６０において第４及び第６の実施形態と同様に各導光板の先端にレンズ１８０Ｌを設けた導光部１８０と、第３の実施形態で述べた筐体部２２０と、第３の実施形態で述べた保持部３１０から構成される。このため、第８の実施形態においては、照明装置８の各構成に係る説明を省略する。
【００７８】
以上、第８の実施形態に係る照明装置８によれば、照明装置１乃至照明装置７と同様に、施設の環境やユーザの好みに合わせて、スポット型や電球型など光の配光特性やデザイン性が異なる発光部分に相当する導光部１８０を、保持部３１０を用いて容易に着脱して交換することができる。したがって、照明装置８を用いれば、異なる仕様に合わせて複数の照明装置を用意する必要が無く、コストや収納スペースを削減することができる。また、第８の実施形態に係る照明装置８によれば、照明装置３と同様に、導光部１８０に導光板を並列して複数設けておりさらに導光板の先端を特殊な形状に形成することが可能である。したがって、照明装置８によって照射される角度によらず、光強度分布の差を抑制することができる。同様に、第８の実施形態に係る照明装置８によれば、照明装置１乃至照明装置７と同様に、導光板を複数に分岐させることで、導光板の内部で光を正反射させる側面の表面積が増加することから、該側面間で光が多重反射し易くなる。したがって、照明装置８では、導光板の先端から放出されてしまう光の割合が減少し、凹状や凸状のパターンで拡散光に変換される光の割合が増加することより、光の取り出し効率を向上させることができる。
【００７９】
さらに、第８の実施形態に係る照明装置８によれば、照明装置４及び照明装置６と同様に、各導光板の先端にレンズ１８０Ｌを設けた導光部１８０を配設している。したがって、照明装置８では、導光部１８０の各導光板の先端から導出される光を、レンズ１８０Ｌを介して、例えば略平行光又は略集光光とすることにより、光の配光特性を最適化することができる。また、第８の実施形態に係る照明装置８によれば、照明装置２等と同様に、放熱部と反射部を加えた筐体部２２０を配設している。したがって、照明装置８では、放熱部により高出力に対応した放熱が可能であり、且つ反射部により導光板から導出された光の一部を所定の方向に反射させて光の強度分布を最適化することが可能である。
【００８０】
［第９の実施形態］
以下、本発明の第９の実施形態の照明装置９について、図４１乃至図４４を参照しながら、具体的に説明する。
【００８１】
なお、本発明の第９の実施形態の照明装置９は、導光部１９０の導光板とレンズ部４００のレンズ板が交互に並列して設けられていることに特徴を有している。この様な第９の実施形態の照明装置９は、例えば図４１に示すように、第３の実施形態で述べた導光部１６０と類似した構成の導光部１９０と、レンズ板を並列に複数設けたレンズ部４００と、第３の実施形態で述べた筐体部２２０と基本的に同様の構成の筐体部２６０と、第３の実施形態で述べた保持部３１０と基本的に同様の構成の保持部３５０から構成される。以下、第９の実施形態においては、導光部１９０、レンズ部４００、筐体部２６０、及び保持部３５０の順で説明する。
【００８２】
第９の実施形態の照明装置９を構成する導光部１９０は、図４１に示すように、第３の実施形態の照明装置１を構成する導光部１６０と同様に、入射面から入射した光を主面に形成された凹状又は凸状のパターンから拡散光として導出する導光板を並列に複数設けている。この様な導光部１９０は、図４２（ｂ）に示すように、導光板１９１、導光板１９２、及び導光板１９３に、それぞれ接合部材１９４を装着して構成されている。なお、導光板１９１、導光板１９２、導光板１９３、及び接合部材１９４は、図３１（ｂ）に示す第３の実施形態の照明装置３を構成する導光部１６０の導光板１６１、導光板１６２、導光板１６３、及び接合部材１６４の厚みをそれぞれ半分程度に薄くした仕様である。また、導光部１９０は、図４２（ｂ）に示すように、例えば導光部１９３、導光部１９２、導光部１９１、導光板１９２、及び導光部１９３の順に、５つの導光板を並列して設けている。なお、導光部１９０に係るその他の仕様は、導光部１６０に係る仕様と同様であることから説明を省略する。
【００８３】
第９の実施形態の照明装置９を構成するレンズ部４００は、図４２に示すように、入射面から入射した光を主面に形成されたレンズから屈折させて導出するレンズ板を並列に複数設けている。この様なレンズ部４００は、図４２（ｂ）に示すように、例えばレンズ板４０１及びレンズ板４０２に、それぞれ接合部材４０３を装着して構成されている。ここで、レンズ板４０１は、例えばアクリル樹脂板やメタクリル樹脂板から成り、複数のレンズを設けた板状に形成されている。また、光源２１の光は、例えばレンズ板４０１の入射面４０１Ｆから、レンズ板４０１の内部に入射され、入射面４０１Ｆに対向する面に設けられたレンズ４０１Ｃにより、例えば略平行光として出射される。なお、レンズ板４０１のレンズ４０１Ｃは、例えばフレネルレンズ、非球面レンズ、又は球面レンズ等とする。また、レンズ板４０１の一端には、後述する保持部６００と係合するための凸部から成る係合部４０１Ａが形成されている。同様に、レンズ板４０１の他端には、接合部材４０３と係合するための凸部から成る係合部４０１Ｂが形成されている。
【００８４】
また、レンズ部４００に関し、接合部材４０３は、例えば一定の湾曲性を有する樹脂板から成り、内部に空間を設けた板状に形成されている。なお、接合部材４０３の内部に設けられた空間に、レンズ板４０１の係合部４０１Ｂが挿入されている。また、レンズ板４０１には、例えば導光部１００の導光板１１及び導光板１２と同様に、防水、防汚、及び防塵等の機能を有した図示せぬ硝子コーティング剤を塗布、又は防水、防汚、及び防塵等の機能を有した図示せぬ透明樹脂を被覆しても良い。なお、レンズ板４０２は、レンズ板４０１と基本的な仕様が同一であり、形成されているレンズの個数のみが異なる。また、例えば図４２（ｂ）に示すように、導光部１９１と導光部１９２の間にレンズ板４０１が並列して設けられ、導光部１９２と導光部１９３の間にレンズ板４０２が並列して設けられている。
【００８５】
第９の実施形態の照明装置９を構成する筐体部２６０は、図４４に示すように、光源２１を基板２２に対してマトリクス状に配設している。具体的には、光源２１は、基板２２に対して例えば１行目と７行目に６個、２行目と６行目に８個、及び３行目乃至５行目に１０個ずつ配設されている。基板２２にマトリクス状に配設された光源２１に対応するように、導光板１９３、レンズ板４０２、導光板１９２、レンズ板４０１、導光板１９１、レンズ板４０１、導光板１９２、レンズ板４０２、及び導光板１９３の順で、導光板及びレンズ板が配設されている。
【００８６】
第９の実施形態の照明装置９を構成する保持部３５０は、図４２（ａ）に示すように、
導光部１９０の各導光板及びレンズ部４００の各レンズ板を、それぞれ接合部材１９４及び接合部材４０３を一時的に湾曲させることにより着脱可能に保持する。この様な保持部３５０は、例えば保持部材３１１の係合部３１１Ａに、例えば導光板１９１の係合部１９１Ｂに装着された接合部材１９４の幅、及びレンズ板４０１の係合部４０１Ｂに装着された接合部材４０３の幅に合わせて突起を形成することにより、隣接する導光板とレンズ板の位置決めを正確に行なえるようにしても良い。同様に、保持部材３１２の係合部３１２Ａに、例えば導光板１９１の係合部１９１Ａの幅、及びレンズ板４０１の係合部４０１Ａの幅に合わせて突起を形成することにより、隣接する導光板とレンズ板の位置決めを正確に行なえるようにしても良い。なお、それ以外の保持部３５０に係る仕様は、基本的に図３１（ａ）に示した保持部３１０と同様であるため説明を省略する。また、図４３（ａ）に示す保持部３６０は、保持部３５０の応用例に相当する。この様な保持部３６０は、導光部１９０の各導光板及びレンズ部４００の各レンズ板を、例えば接合部材３３３の操作部３３３Ｃを左右に操作して一時的に接合部材３３３を左右に移動させることにより着脱可能に保持する。なお、それ以外の保持部３６０に係る仕様は、基本的に図３２（ａ）に示した保持部３２０と同様であるため説明を省略する。
【００８７】
以上、第９の実施形態に係る照明装置９によれば、照明装置１乃至照明装置８と同様に、施設の環境やユーザの好みに合わせて、スポット型や電球型など光の配光特性やデザイン性が異なる発光部分に相当する導光部１９０を、保持部３５０を用いて容易に着脱して交換することができる。したがって、照明装置９を用いれば、異なる仕様に合わせて複数の照明装置を用意する必要が無く、コストや収納スペースを削減することができる。また、第９の実施形態に係る照明装置９によれば、照明装置３及び照明装置８と同様に、導光部１９０に導光板を並列して複数設けておりさらに導光板の先端を特殊な形状に形成することが可能である。したがって、照明装置９によって照射される角度によらず、光強度分布の差を抑制することができる。同様に、第９の実施形態に係る照明装置９によれば、照明装置１乃至照明装置８と同様に、導光板を複数に分岐させることで、導光板の内部で光を正反射させる側面の表面積が増加することから、該側面間で光が多重反射し易くなる。したがって、照明装置９では、導光板の先端から放出されてしまう光の割合が減少し、凹状や凸状のパターンで拡散光に変換される光の割合が増加することより、光の取り出し効率を向上させることができる。
【００８８】
さらに、第９の実施形態に係る照明装置９によれば、導光部１９０の導光板とレンズ部４００のレンズ板が交互に並列して設けられている。したがって、照明装置９では、導光部１９０の各導光板に形成された凹状又は凸状のパターンから拡散光を導出すると共に、レンズ部４００の各レンズ板に形成されたレンズから屈折させた光を導出することができるため、光の配光特性を最適化することができる。また、第９の実施形態に係る照明装置９によれば、照明装置２等と同様に、放熱部と反射部を加えた筐体部２６０を配設している。したがって、照明装置９では、放熱部により高出力に対応した放熱が可能であり、且つ反射部により導光板から導出された光の一部を所定の方向に反射させて光の強度分布を最適化することが可能である。
【００８９】
最後に、本発明の第１乃至第９の実施形態の照明装置にそれぞれ配設される導光板の製造方法について、具体的に説明する。
【００９０】
導光板の製造方法には、例えば超音波加工、加熱加工、切削加工、レーザ加工、成型加工、及びシルク印刷加工を用いることができる。以下、各製造方法について説明する。超音波加工では、導光板の表面に当接させた超音波加工用ホーンの超音波の振動を用いて、導光板の表面を部分的に溶融させることにより、該表面に凹状のパターンを形成する。また、加熱加工では、導光板の表面に当接させた加工具の熱を用いて、導光板の表面を部分的に溶融させることにより、該表面に凹状のパターンを形成する。同様に、切削加工では、導光板の表面に当接しながら回転又は付勢させた切削工具を用いて、導光板の表面を部分的に削り取ることにより、該表面に凹状のパターンを形成する。同様に、レーザ加工では、導光板の表面に集光させたレーザ光の熱を用いて、導光板の表面を部分的に溶融させることにより、該表面に凹状のパターンを形成する。
【００９１】
また、導光板の製造方法に関し、成型加工では、成型する導光板の外形形状を反映させた形状を金型の内部に形成し、例えば射出成型機に装着した金型に対して加熱して軟化させた樹脂を注入してから、該樹脂を冷却させることにより、導光板の表面に凹状のパターン、凸状のパターン、又は凹状及び凸状のパターンを形成する。同様に、シルク印刷加工では、導光板の表面に対して所定の孔が開口した版を当接させ、孔を介して硬化性の樹脂を表面に付着させて、該表面を部分的に樹脂で被覆させることにより、該表面に凸状のパターンを形成する。また、成型加工又はシルク印刷加工に用いる樹脂に、例えば拡散光を発する微粒子状の拡散部材を添加しても良い。同様に、上述した超音波加工、加熱加工、切削加工、又はレーザ加工を行う導光板の基材である樹脂に、例えば拡散光を発する微粒子状の拡散部材を添加したものを用いても良い。なお、上述した超音波加工、加熱加工、切削加工、レーザ加工、成型加工、及びシルク印刷加工を組み合わせて導光板を形成しても良い。具体的には、例えば成型加工により導光板の外形形状のみを形成した上で、例えば超音波加工により導光板の表面に凹状のパターンを形成しても良い。同様に、例えば成型加工により導光板の外形形状のみを形成した上で、例えばシルク印刷加工により導光板の表面に凸状のパターンを形成しても良い。
【符号の説明】
【００９２】
１，２，３，４，５，６，７，８，９  照明装置
１００，１１０，１２０，１２０'，１３０，１３０'，１４０，１５０，１６０，１７０，１８０，１９０  導光部
１１，１２，１３，１４Ａ，１４Ｂ，１４Ｃ，１４Ｄ，１４Ｅ，１４Ｆ，１４Ｇ，１４Ｈ，１４Ｉ，１５，１５'，１６，１６'，１７，１７'，１８，１９，１１１，１１２，１２１，１２２，１３１，１３２，１４１，１４２，１５１，１５２，１６１，１６２，１６３，１７１，１７２，１９１，１９２，１９３  導光板
１１Ａ，１１Ｂ，１１Ｃ，１１Ｄ，１２Ａ，１２Ｂ，１２Ｃ，１２Ｄ，１３Ａ，１３Ｂ，１３Ｃ，１３Ｄ，１２１Ａ，１２１Ｂ，１３１Ａ，１３１Ｂ，１４１Ａ，１４１Ｂ，１５１Ａ，１５１Ｂ，１７１Ａ,１７１Ｂ,１７１Ｃ,１７１Ｄ,１７２Ａ,１７２Ｂ,１７２Ｃ,１７２Ｄ  分岐部
１１Ｌ，１１Ｍ，１１Ｎ，１２Ｌ，１２Ｍ，１２Ｎ，１３Ｌ，１３Ｍ，１３Ｎ  切欠部
１１Ｆ，１２Ｆ，１３Ｆ，１８Ｆ，１９Ｆ，１６１Ｆ  入射面
１１Ｇ，１１Ｇ'，１２Ｇ，１２Ｇ'，１３Ｇ，１３Ｇ'，１８Ｇ，１９Ｇ，１２１Ｇ，１３１Ｇ，１４１Ｇ，１５１Ｇ，１７１Ｇ，１７１Ｇ',１７２Ｇ,１７２Ｇ'  先端
１１Ｈ，１２Ｈ  係合部
１２Ｊ  接合部
１１Ｐ，１２Ｐ  パターン
１３Ｖ，１８Ｖ，１９Ｖ  一主面
１３Ｑ，１８Ｑ，１９Ｑ  他主面
１３Ｗ，１３Ｒ，１８Ｗ，１８Ｒ，１９Ｗ，１９Ｒ  パターン
１４１Ｕ，１４２Ｕ，１５１Ｕ，１５２Ｕ  側面
１６１Ａ，１６１Ｂ  係合部
１６４，１９４  接合部材
１７０Ｌ，１８０Ｌ  レンズ
２００，２１０，２２０，２３０，２４０，２５０，２６０  筐体部
２１  光源
２２  基板
２２Ａ  裏面
２２Ｂ  ネジ孔
２２Ｇ  ネジ孔
２３  筐体
２３Ａ  一面
２３Ｂ  他面
２３Ｃ  係合孔
２３Ｄ  外周面
２３Ｅ  ネジ孔
２３Ｆ  係合溝
２３Ｇ  接合面
２３Ｈ  口金
２３Ｉ  ネジ溝
２４  電源ユニット
２５  上板材
２５Ａ  下面
２５Ｂ  上面
２５Ｃ  内周面
２６  外枠材
２６Ａ  上部
２６Ｂ  下部
２７  外缶材
２７Ａ  上部
２７Ｂ  下部
２８  縁材
２８Ａ  凹部
２９  反射部材
２９Ａ  上部
２９Ｂ  下部
３００，３１０，３２０，３３０，３４０，３５０，３６０  保持部
３１，３１，３１  保持部材
３１Ａ，３１Ａ  溝部
３１Ｂ，３１Ｂ  突起部
３１Ｄ，３１Ｄ，３１Ｅ，３１Ｅ  孔
３１Ｆ  ネジ山
３２  固定部材
３３，３４  レンズ
３１１，３１２，３２１，３２２  保持部材
３１１Ａ，３１２Ａ，３２２Ａ  係合部
３１１Ｂ，３１２Ｂ，３２１Ｂ，３２２Ｂ  上面部
３２１Ｃ  孔
３２３  接合部材
３２３Ａ  付勢部
３２３Ｂ  上面部
３２３Ｃ  操作部
３２３Ｄ  係合部
４００  レンズ部
４０１，４０２  レンズ板
４０１Ａ，４０１Ｂ  係合部
４０１Ｃ  レンズ
４０１Ｆ  入射面
４０３  接合部材
Ｅ  目
Ｔ  電路部
【図１】
0005437896.tif 000003
【図２】
0005437896.tif 000004
【図３】
0005437896.tif 000005
【図４】
0005437896.tif 000006
【図５】
0005437896.tif 000007
【図６】
0005437896.tif 000008
【図７】
0005437896.tif 000009
【図８】
0005437896.tif 000010
【図９】
0005437896.tif 000011
【図１０】
0005437896.tif 000012
【図１１】
0005437896.tif 000013
【図１２】
0005437896.tif 000014
【図１３】
0005437896.tif 000015
【図１４】
0005437896.tif 000016
【図１５】
0005437896.tif 000017
【図１６】
0005437896.tif 000018
【図１７】
0005437896.tif 000019
【図１８】
0005437896.tif 000020
【図１９】
0005437896.tif 000021
【図２０】
0005437896.tif 000022
【図２１】
0005437896.tif 000023
【図２２】
0005437896.tif 000024
【図２３】
0005437896.tif 000025
【図２４】
0005437896.tif 000026
【図２５】
0005437896.tif 000027
【図２６】
0005437896.tif 000028
【図２７】
0005437896.tif 000029
【図２８】
0005437896.tif 000030
【図２９】
0005437896.tif 000031
【図３０】
0005437896.tif 000032
【図３１】
0005437896.tif 000033
【図３２】
0005437896.tif 000034
【図３３】
0005437896.tif 000035
【図３４】
0005437896.tif 000036
【図３５】
0005437896.tif 000037
【図３６】
0005437896.tif 000038
【図３７】
0005437896.tif 000039
【図３８】
0005437896.tif 000040
【図３９】
0005437896.tif 000041
【図４０】
0005437896.tif 000042
【図４１】
0005437896.tif 000043
【図４２】
0005437896.tif 000044
【図４３】
0005437896.tif 000045
【図４４】
0005437896.tif 000046